(57)【要約】【課題】ノズルヘッドが押し込まれた状態を維持する維持機構が不用意に解除されにくいポンプ式注出器を提供すること。【解決手段】ベース（２）と、ポンプ（３）と、ノズルヘッド（４）と、アダプター（５）と、を備え、前記ノズルヘッド（４）と前記アダプター（５）との間に、前記ノズルヘッド（４）が押し込まれた状態を維持可能な維持機構（６）を備え、前記維持機構（６）は、前記ノズルヘッド（４）及び前記アダプター（５）の一方に設けられた雄ねじ部（１１）と、他方に設けられた雌ねじ部（１０）と、を備え、前記雌ねじ部（１０）が形成されている内周面及び前記雄ねじ部（１１）が形成されている外周面には、前記雌ねじ部（１０）と前記雄ねじ部（１１）との締結完了時に、互いに嵌合する凸部（１３）及び凹部（１２）が形成されている。【選択図】図１
2015209267.tif 000002
【特許請求の範囲】
【請求項１】
容器の口部にねじ止め固定されるベースと、前記ベースにより前記口部を通して吊り下げられて固定され、前記容器内部の内容物を汲み上げるポンプと、押し込み及び復元の繰り返しにより前記ポンプを駆動させ、汲み上げた内容物を外界へ向け吐出するノズルヘッドと、前記ポンプに取り付けられると共に、前記ベースの上方への抜け止めとなるアダプターと、を備えるポンプ式注出器であって、
前記ノズルヘッドと前記アダプターとの間に、前記ノズルヘッドが押し込まれた状態を維持可能な維持機構を備え、
前記維持機構は、前記ノズルヘッド及び前記アダプターの一方に設けられた雄ねじ部と、他方に設けられた雌ねじ部と、を備え、
前記雌ねじ部が形成されている内周面及び前記雄ねじ部が形成されている外周面には、前記雌ねじ部と前記雄ねじ部との締結完了時に、互いに嵌合する凸部及び凹部が形成されていることを特徴とするポンプ式注出器。
【請求項２】
前記雌ねじ部は前記ノズルヘッドに形成され、前記雄ねじ部は前記アダプターに形成されていることを特徴とする、請求項１に記載のポンプ式注出器。
【請求項３】
前記凹部は、前記雌ねじ部の下部に形成され、前記凸部は、前記雄ねじ部の下部に形成されることを特徴とする、請求項２に記載のポンプ式注出器。
【請求項４】
前記凹部は、前記雄ねじ部の上部に形成され、前記凸部は、前記雌ねじ部の上部に形成されることを特徴とする、請求項２に記載のポンプ式注出器。
【請求項５】
前記凹部及び前記凸部の一方は、前記雌ねじ部及び前記雄ねじ部の一方のねじ山の側壁に形成され、前記凹部及び前記凸部の他方は、前記雌ねじ部及び前記雄ねじ部の他方のねじ山の側壁に形成されていることを特徴とする、請求項１乃至４のいずれか１項に記載のポンプ式注出器。
【請求項６】
前記凹部及び前記凸部の一方は、前記雌ねじ部及び前記雄ねじ部の一方のねじ山の頂部に形成され、前記凹部及び前記凸部の他方は、前記雌ねじ部及び前記雄ねじ部の他方のねじ山間の底壁に形成されていることを特徴とする、請求項１乃至４のいずれか１項に記載のポンプ式注出器。
【請求項７】
前記ノズルヘッドは、無理抜きにより型成形されたものであることを特徴とする、請求項１乃至６のいずれか１項に記載のポンプ式注出器。
【発明の詳細な説明】
【技術分野】
【０００１】
本発明は、ポンプ式注出器に関し、特に、押し込み及び復元によりポンプを駆動させるノズルヘッドと、ノズルヘッドが押し込まれた状態を維持可能な維持機構とを備えるポンプ式注出器に関する。
【背景技術】
【０００２】
押し込み及び復元により、ポンプの駆動及び内容物の吐出を可能にするノズルヘッドを備えるポンプ式注出器には、ノズルヘッドが押し込まれた状態を維持可能な維持機構を備えるものがある。このようなポンプ式注出器として、特許文献１には、ノズルヘッドを下方に押し込んでそのままポンプの軸線まわりに回転させることにより、ノズルヘッドのねじ状の被係合部が結合するねじ状の係合部を有するアダプターを備えるものが開示されている。このようなポンプ式注出器が容器の口部にねじ止め固定された注出器付き容器は、ノズルヘッドが押し込まれた状態で流通されており、これによりノズルヘッドの飛び出しを阻止して内容物の不用意な吐出を防止するとともに、無駄なスペースが無くなって輸送効率の向上が図られている。
【先行技術文献】
【特許文献】
【０００３】
【特許文献１】特開２０１１−２４５４５５号公報
【発明の概要】
【発明が解決しようとする課題】
【０００４】
しかしながら、従来は、コア（金型）を回転させてねじ山に沿って抜き、離型する必要があるため、緩み止め機構を設けることができなかった。そのため、輸送中やノズルヘッド同士のぶつかり合いにより、ノズルヘッドの被係合部とアダプターの係合部との係合が緩んでしまうおそれがある。
【０００５】
また、金型構造の簡素化のため、特許文献１に開示のノズルヘッドを無理抜き（上下抜き）により成形すると、ノズルヘッドのねじ状の被係合部におけるねじ山がダレてしまうおそれがある。ねじ山がダレてしまうと、ノズルヘッドの被係合部とアダプターの係合部との係合が特に緩み易くなる。
【０００６】
本発明の目的は、ノズルヘッドが押し込まれた状態を維持する維持機構が不用意に解除されにくいポンプ式注出器を提供することである。
【課題を解決するための手段】
【０００７】
本発明の第１の態様としてのポンプ式注出器は、容器の口部にねじ止め固定されるベースと、前記ベースにより前記口部を通して吊り下げられて固定され、前記容器内部の内容物を汲み上げるポンプと、押し込み及び復元の繰り返しにより前記ポンプを駆動させ、汲み上げた内容物を外界へ向け吐出するノズルヘッドと、前記ポンプに取り付けられると共に、前記ベースの上方への抜け止めとなるアダプターと、を備えるポンプ式注出器であって、前記ノズルヘッドと前記アダプターとの間に、前記ノズルヘッドが押し込まれた状態を維持可能な維持機構を備え、前記維持機構は、前記ノズルヘッド及び前記アダプターの一方に設けられた雄ねじ部と、他方に設けられた雌ねじ部と、を備え、前記雌ねじ部が形成されている内周面及び前記雄ねじ部が形成されている外周面には、前記雌ねじ部と前記雄ねじ部との締結完了時に、互いに嵌合する凸部及び凹部が形成されていることを特徴とするものである。
【０００８】
本発明の１つの実施形態として、前記雌ねじ部は前記ノズルヘッドに形成され、前記雄ねじ部は前記アダプターに形成されていることが好ましい。
【０００９】
本発明の１つの実施形態として、前記凹部は、前記雌ねじ部の下部に形成され、前記凸部は、前記雄ねじ部の下部に形成される構成とすることができる。また、本発明の１つの実施形態として、前記凹部は、前記雄ねじ部の上部に形成され、前記凸部は、前記雌ねじ部の上部に形成される構成とすることができる。
【００１０】
本発明の１つの実施形態として、前記凹部及び前記凸部の一方は、前記雌ねじ部及び前記雄ねじ部の一方のねじ山の側壁に形成され、前記凹部及び前記凸部の他方は、前記雌ねじ部及び前記雄ねじ部の他方のねじ山の側壁に形成されている構成とすることができる。また、本発明の１つの実施形態として、前記凹部及び前記凸部の一方は、前記雌ねじ部及び前記雄ねじ部の一方のねじ山の頂部に形成され、前記凹部及び前記凸部の他方は、前記雌ねじ部及び前記雄ねじ部の他方のねじ山間の底壁に形成されている構成とすることができる。
【００１１】
本発明の１つの実施形態として、前記ノズルヘッドは、無理抜きにより型成形されたものであることが好ましい。
【発明の効果】
【００１２】
本発明によれば、ノズルヘッドが押し込まれた状態を維持する維持機構が不用意に解除されにくいポンプ式注出器を提供することができる。
【図面の簡単な説明】
【００１３】
【図１】本発明の１つの実施形態としてのポンプ注出器について、一部を断面で示した側面図である。
【図２】図１に示すポンプ注出器の維持機構を示す断面図である。
【図３】図２に示す維持機構の雌ねじ部及び雄ねじ部の詳細を示す図である。図３（ａ）は雌ねじ部を示す図であり、図３（ｂ）は雄ねじ部を示す図である。
【図４】図２に示す維持機構の変形例を示す断面図である。
【図５】図４に示す維持機構の雌ねじ部及び雄ねじ部の詳細を示す図である。図５（ａ）は雌ねじ部を示す図であり、図５（ｂ）は雄ねじ部を示す図である。
【発明を実施するための形態】
【００１４】
以下、本発明に係るポンプ式注出器の実施形態について、図１〜図５を参照して説明する。なお、各図において共通の部材には、同一の符号を付している。
【００１５】
図１は、本発明に係るポンプ式注出器の１つの本実施形態としてのポンプ式注出器１について、一部を断面で示した側面図である。図１に示すように、ポンプ式注出器１は、容器の口部Ｍにねじ止め固定されるベース２と、このベースにより容器の口部Ｍを通して吊り下げられて固定され、容器内部の内容物を汲み上げるポンプ３と、押し込み及び復元の繰り返しによりポンプ３を駆動させ、汲み上げた内容物を外界へ向け吐出するノズルヘッド４と、ポンプ３に取り付けられると共に、ベース２の上方への抜け止めとなるアダプター５と、を備える。また、ポンプ式注出器１は、ノズルヘッド４とアダプター５との間に、ノズルヘッド４が押し込まれた状態を維持可能な維持機構６を備えている。なお、図１は、維持機構６により、ノズルヘッド４が押し込まれた状態に維持されている様子を示している。以下、本実施形態のポンプ式注出器１における各部材及び各部材により構成される特徴部の詳細について説明する。
【００１６】
ベース２は、中央部に開口２４を備える円形平板状の天板２１と、この天板２１の外縁より垂下し、容器の口部Ｍを覆う円筒状の筒体２２と、を備える。筒体２２は、筒体２２の内面に形成され、容器の口部Ｍにねじ止めされるねじ部２５と、筒体２２の外面に形成され、上下方向（図１における上下方向を意味する。）に延在する凹凸状の滑り止め２３と、を備える。滑り止め２３により、筒体を容器の口部Ｍにねじ止めする際に指が滑らないので、ベース２を容器の口部Ｍにしっかりと取り付けることができる。
【００１７】
ポンプ３は、筒状の外形を有するシリンダー３１と、このシリンダー３１の下部に取り付けられた吸引管３２と、この吸引管を通じてシリンダー３１の内部空間に容器内部に収容された内容物を吸引するピストン（図示せず）と、ピストンに上方への付勢力を付与するスプリング（図示せず）と、ピストンを下方へ押し込む筒状のステム３３と、このステム３３の径方向外側に位置する外筒部材３８と、ポンプ３の開栓及び閉栓を可能にする弁体（図示せず）と、を備える。
【００１８】
シリンダー３１の上部には、シリンダー３１の外周壁と一体連結され、シリンダー３１の外周壁から径方向外方に延在する中空円盤状のフランジ３７が設けられている。フランジ３７は、容器の口部Ｍの上部に設けたパッキンと天板２１とで挟持されるものであり、これによりポンプ３は、容器の口部Ｍを通して吊り下げ固定が可能である。シリンダー３１のうち、フランジ３７の更に上部には、ベース２における天板２１の開口２４よりも上方に突き出す筒体３４が形成されており、ベース２は、この筒体３４を中心として、筒体３４の周方向に回転可能である。また、筒体３４の外周面には、後述するアダプター５と係合する爪部３５が形成されている。なお、シリンダー３１の周壁には、フランジ３７よりも下方の位置に連通口（図示せず）が区画されており、この連通口は、外筒部材３８をシリンダー３１に対して上下方向に移動させることにより、開閉させることができる。
【００１９】
ノズルヘッド４は、外方からの押圧力を直接付与する操作部４１と、この操作部４１と一体連結されたノズル４２とを備えている。操作部４１は、天板４３と、この天板４３の外縁より垂下し、ノズルヘッド４の外周輪郭を形成する円筒状の第１筒体４４と、この第１筒体４４と同心配置であって、第１筒体４４よりも内側で、天板４３の下面から垂下する第２筒体４５と、第１筒体４４及び第２筒体４５と同心配置であって、第２筒体４５よりも更に内側で、天板４３の下面から垂下した第３筒体４６と、を備える。ノズル４２は、操作部４１の第３筒体４６の中空部と連通し、容器内部の内容物を外方に吐出する吐出口４７を備えている。
【００２０】
第２筒体４５の内周面には、後述するアダプター５の雄ねじ部１１とねじ結合することが可能な雌ねじ部１０が形成されている。なお、図１は、アダプター５の雄ねじ部１１と、ノズルヘッド４の雌ねじ部１０とが、ねじ結合した状態を示している。雄ねじ部１１と雌ねじ部１０とを備える維持機構６の詳細については後述する（図３（ａ）、（ｂ）参照）。
【００２１】
第３筒体４６は、その下部の外周面がポンプ３のステム３３の内周面と密着するように、ステム３３内に挿入されることにより、ステム３３と嵌合している。また、第３筒体４６の外壁の上部には、ステム３３内に挿入された下部よりも径方向に突出するリブが形成されており、このリブの下面がステム３３の上端と当接している。この第３筒体４６とステム３３との嵌合及び当接により、ノズルヘッド４に外方から加えられる押圧力（押し込み力）を、第３筒体４６を介して、ステム３３に伝達することができる。ステム３３は、ノズルヘッド４に外方から加えられた押圧力により、上下方向の下方に押し込まれ、ポンプ３の軸線Ｏに沿って移動する。また、ノズルヘッド４に外方から加えられる押圧力が解除されると、ステム３３は、上述したスプリングの付勢力により上方へ押され、この付勢力が第３筒体４６に伝達されることにより、ノズルヘッド４も上方へと移動する。このように、ノズルヘッド４の押し込みとポンプ３のスプリングによる復元とを繰り返すことにより、ポンプ３を駆動させることができる。なお、図１に示すように、上述したリブの下面は、ステム３３の上端に加えて、外筒部材３８の上端に当接可能であり、ノズルヘッド４の押し込みにより、外筒部材３８も上下方向に移動することができ、これにより、シリンダー３１の周壁に区画された連通口の開閉を行うことができる。
【００２２】
アダプター５は、ベース２の上部に位置すると共にポンプ３と係合し、ベース２の上方への抜け止めとなっている。アダプター５は、中央部に開口を備える円形平板状の天板５１と、この天板５１の外縁から垂下し、アダプター５の外周輪郭を形成する第１筒体５２と、この第１筒体５２と同心配置であって、第１筒体５２よりも内側で、天板５１の下面から垂下する第２筒体５３と、第１筒体５２及び第２筒体５３と同心配置であって、第２筒体５３よりも更に内側で、天板５１の内縁の下面から垂下する第３筒体５４と、天板５１の内縁から上方に立ち上がる第４筒体５５と、を備える。
【００２３】
第２筒体５３の内周面には、ポンプ３の筒体３４外周面に形成された爪部３５と係止する係止部５６が設けられており、筒体３４を第２筒体５３と第３筒体５４との相互間に位置させて係止部５６と爪部３５とを係止させることにより、アダプター５はポンプ３に固定される。このような構成とすることにより、ベース２の天板２１を、ポンプ３のフランジ３７とアダプター５の第１筒体５２との間に介在させることができるため、ベース２の上方への移動はアダプター５の第１筒体５２の下端により規制され、ベース２が上方に抜け落ちることはない。尚、ベース２は、ポンプ３のフランジ３７に載置されており、アダプター５の第１筒体５２との間に隙間が設けられているため、回動自在な状態となっている。
【００２４】
第３筒体５４は、その下部の外周面がポンプ３のシリンダー３１の内周面と当接するように、シリンダー３１内に挿入されている。また、第３筒体５４の外周面とシリンダー３１の筒体３４の内周面との間には、凹凸部などによる廻り止め機構が設けられている。第４筒体５５の外周面には、雄ねじ部１１が形成されており、図１に示すように、雄ねじ部１１がノズルヘッド４の第２筒体４５の内周面に形成された雌ねじ部１０とねじ結合することにより、ノズルヘッド４は、押し込まれた状態で維持される。雄ねじ部１１及び雌ねじ部１０を備える維持機構６の詳細については後述する（図３（ａ）、（ｂ）参照）。第３筒体５４の内周面及び第４筒体５５の内周面は中空部を区画しており、ポンプ３のステム３３及びノズルヘッド４の第３筒体４６は、この中空部内をポンプ３の軸線Ｏに沿って上下方向に移動可能であり、この移動によりノズルヘッド４の押し込み及び復元が実行される。
【００２５】
なお、本実施形態では、ポンプ３の筒体３４の外周面に爪部３５を形成し、アダプター５の第２筒体５３の内周面に係止部５６を形成したが、爪部及び係止部の位置はこれに限られるものではなく、例えば、ポンプの筒体の内周面に爪部を形成すると共に、アダプターの第２筒体の外周面に係止部を設ける構成とし、ポンプの筒体をアダプターの第１筒体と第２筒体との間に位置させ、爪部と係止部とを係止する構成とすることもできる。また、ポンプに係止部を形成し、アダプターに係止部と係合する爪部を形成する構成としてもよい。
【００２６】
次に、ノズルヘッド４が押し込まれた状態を維持可能な維持機構６について説明する。本実施形態の維持機構６は、ノズルヘッド４に形成された雌ねじ部１０と、アダプター５に形成された雄ねじ部１１と、備え、図１に示すように、雌ねじ部１０と雄ねじ部１１とを互いにねじ結合することにより、ノズルヘッド４は押し込まれた状態が維持される。より具体的に、外方からノズルヘッド４に押圧力を加えて押し込んだ後に、ノズルヘッド４を、ポンプ３の軸線Ｏまわりに、アダプター５に対して回転させ、雌ねじ部１０と雄ねじ部１１とをねじ結合させることにより、ノズルヘッド４を押し込まれた状態に維持することができる。なお、本実施形態では、ノズルヘッド４を更に回転させ続け、ノズルヘッド４がアダプター５に対してこれ以上回転できない位置になったときを、雌ねじ部１０と雄ねじ部１１との締結完了時としている。より具体的に、本実施形態では、ノズルヘッド４の第２筒体４５の下端がアダプター５の天板５１の上面に当接する位置を、雌ねじ部１０と雄ねじ部１１との締結完了時としている。
【００２７】
図２は、図１のうち雌ねじ部１０及び雄ねじ部１１の近傍の拡大断面図である。図３は、雌ねじ部１０及び雄ねじ部１１の詳細を示す図である。具体的に、図３（ａ）は、ノズルヘッド４に設けられた雌ねじ部１０の一部を示す図であり、図３（ｂ）は、アダプター５に設けられた雄ねじ部１１の一部を示す図である。図３（ａ）及び図３（ｂ）に示すように、雌ねじ部１０が形成されている、ノズルヘッド４の第２筒体４５の内周面には、横断面が円弧状の３つの凹部１２が形成されている。また、雄ねじ部１１が形成されている、アダプター５の第４筒体５５の外周面には、横断面が円弧状の２つの凸部１３が形成されている。これら凹部１２及び凸部１３は、雌ねじ部１０と雄ねじ部１１との締結完了時に、互いに嵌合する。本実施形態の維持機構６は、凹部１２及び凸部１３を備えることにより、雌ねじ部１０と雄ねじ部１１との締結完了後に、雌ねじ部１０と雄ねじ部１１とのねじ結合を緩み難くすることができる。すなわち、凹部１２及び凸部１３は、緩み止め機構として機能するものである。なお、雌ねじ部１０が形成されている、ノズルヘッド４の第２筒体４５の内周面とは、雌ねじ部１０のねじ山１４を含む第２筒体４５の内壁全体を意味するものであり、雄ねじ部１１が形成されている、アダプター５の第４筒体５５の外周面とは、雄ねじ部１１のねじ山１５を含む第４筒体５５の外壁全体を意味するものである。
【００２８】
本実施形態では、図２、図３に示すように、凹部１２は、雌ねじ部１０の下部に形成され、凸部１３は、雄ねじ部１１の下部に形成されている。このような構成とすることにより、凸部１３は、雌ねじ部１０と雄ねじ部１１とのねじ結合の掛かり始めでは、雌ねじ部１０の表面と摺動することはなく、雌ねじ部１０と雄ねじ部１１との締結完了時に初めて、雌ねじ部１０の表面と接触することになる。そのため、雌ねじ部１０と雄ねじ部１１とのねじ結合の途中で、凸部１３と雌ねじ部１０表面とが摺動し、凸部１３及び雌ねじ部１０表面が削れてしまうことを抑制することができる。
【００２９】
更に、図２、図３に示すように、本実施形態の凹部１２は、雌ねじ部１０の螺旋状ねじ山１４の下端部１４ａの上側の側壁に形成され、本実施形態の凸部１３は、雄ねじ部１１の螺旋状ねじ山１５の下端部１５ａの下側の側壁に形成されている。本実施形態では、上述したように、ノズルヘッド４の第２筒体４５の下端がアダプター５の天板５１の上面に当接する位置で、雌ねじ部１０と雄ねじ部１１との締結が完了する（図１、図２参照）。すなわち、雌ねじ部１０のねじ山１４の上下方向の位置は、雌ねじ部１０と雄ねじ部１１との締結完了時において、ノズルヘッド４の第２筒体４５の下端とアダプター５の天板５１の上面との接触により略一定となる。そのため、本実施形態のように、凹部１２及び凸部１３を、ねじ山１４、１５の側壁に設ける構成とすれば、雌ねじ部１０と雄ねじ部１１との締結完了時に、凹部１２及び凸部１３を正確に嵌合させることができる。なお、本実施形態では、雌ねじ部１０と雄ねじ部１１との締結完了時において、雌ねじ部１０のねじ山１４の下端部１４ａが、雄ねじ部１１のねじ山１５の下端部１５ａよりも下方に位置する構成であるため（図１、図２参照）、凹部１２をねじ山１４の下端部１４ａの上側の側壁に設けると共に、凸部１３をねじ山１５の下端部１５ａの下側の側壁に設けているが、凹部及び凸部を設ける側壁の位置はこの位置に限られるものではない。例えば、雌ねじ部と雄ねじ部との締結完了時において、雄ねじ部のねじ山の下端部が、雌ねじ部のねじ山の下端部よりも下方に位置する構成の場合には、凹部を雌ねじ部のねじ山の下側の側壁に設けると共に、凸部を雄ねじ部のねじ山の上側の側壁に設ける構成とすることができる。
【００３０】
なお、本実施形態の維持機構６では、凹部１２及び凸部１３をそれぞれ複数（凹部１２を３つ、凸部１３を２つ）設けた構成としているが、この個数に限られるものではなく、例えば、凹部と凸部とを１つずつ設けた構成とすることもできる。但し、本実施形態のように、凹部１２の数を、凸部１３の数よりも多く設ける構成とすることが好ましい。このような構成とすれば、雌ねじ部１０と雄ねじ部１１とを締結するための締め付け力に応じて、凸部１３が嵌まり込む凹部１２の位置を変えることが可能となるので、雌ねじ部１０と雄ねじ部１１との締結完了の位置に若干の自由度を持たせることが可能となる。
【００３１】
また、本実施形態では、ノズルヘッド４の第２筒体４５の下端がアダプター５の天板５１の上面に当接する位置を、雌ねじ部１０と雄ねじ部１１との締結完了時としているが、この位置に限られるものではなく、目的や用途等に応じて雌ねじ部と雄ねじ部との締結完了の位置を変更することも可能である。
【００３２】
更に、本実施形態では、ノズルヘッド４に雌ねじ部１０を形成し、アダプター５に雄ねじ部１１を形成したが、ノズルヘッド及びアダプターの一方に雌ねじ部を設け、他方に雌ねじ部と係合する雄ねじ部を設ける構成であればよく、ノズルヘッドに雄ねじ部を形成し、アダプターに雌ねじ部を形成する構成としてもよい。例えば、ノズルヘッドの第３筒体内にポンプのステムの上端を嵌合させ、ノズルヘッドの第３筒体の外周面に雄ねじ部を設ける一方で、アダプターの第３筒体又は第４筒体の内周面に雌ねじ部を設ける構成としてもよい。
【００３３】
また更に、本実施形態では、雌ねじ部１０のねじ山１４の側壁に凹部１２が形成され、雄ねじ部１１のねじ山１５の側壁に凸部１３が形成されているが、凹部及び前記凸部の一方が、雌ねじ部及び雄ねじ部の一方のねじ山の側壁に形成されると共に、凹部及び凸部の他方が、雌ねじ部及び雄ねじ部の他方のねじ山の側壁に形成される構成であればよい。従って、雌ねじ部のねじ山の側壁に凸部を形成し、雄ねじ部のねじ山の側壁に凹部を形成する構成としてもよい。
【００３４】
次に、ポンプ式注出器１における凹部１２及び凸部１３の変形例について説明する。図４、図５は、上述した凹部１２及び凸部１３とは異なる位置に形成された凹部１２０及び凸部１３０を備える維持機構６０を示すものである。なお、凹部及び凸部の形成される位置以外は、上述したポンプ式注出器１の構成と共通するため、ここでは説明を省略する。図４、図５に示すように、凹部１２０は、雄ねじ部１１の上部に形成され、凸部１３０は、雌ねじ部１０の上部に形成されている。このような構成とすることにより、凸部１３０は、雌ねじ部１０と雄ねじ部１１とのねじ結合の掛かり始めでは、雄ねじ部１１の表面と摺動することはなく、雌ねじ部１０と雄ねじ部１１との締結完了時に初めて、雄ねじ部１１の表面と接触することになる。そのため、雌ねじ部１０と雄ねじ部１１とのねじ結合の途中で、凸部１３０と雄ねじ部１１表面とが摺動し、凸部１３０及び雄ねじ部１１表面が削れてしまうことを抑制することができる。
【００３５】
更に、図４、図５に示すように、凹部１２０は、雄ねじ部１１のねじ山１５の上端部１５ｂの頂部１６に形成され、凸部１３０は、雌ねじ部１０のねじ山１４の上端部１４ｂと下方で隣接する、ねじ山間の底壁に形成されている。なお、図４に示すように、雌ねじ部１０と雄ねじ部１１との締結完了時において、雌ねじ部１０のねじ山１４の上端部１４ｂが、雄ねじ部１１のねじ山１５の上端部１５ｂよりも上方に位置する構成であるため、凹部１２０をねじ山１５の上端部１５ｂの頂部に設けると共に、凸部１３０をねじ山１４の上端部１４ｂと下方で隣接する、ねじ山間の底壁に設けているが、凹部及び凸部を設ける位置はこの位置に限られるものではない。例えば、雌ねじ部と雄ねじ部との締結完了時において、雌ねじ部のねじ山の上端部が、雄ねじ部のねじ山の上端部よりも下方に位置する構成の場合には、凸部を雌ねじ部のねじ山の上端部よりも上方に位置する第２筒体４５の内壁に設ける構成とすることもできる。
【００３６】
また更に、図４、図５に示すような凹部１２０及び凸部１３０とする場合であっても、ノズルヘッド及びアダプターの一方に雌ねじ部を設け、他方に雌ねじ部と係合する雄ねじ部を設ける構成であればよく、ノズルヘッドに雄ねじ部を形成し、アダプターに雌ねじ部を形成する構成とすることができる。また、凹部及び凸部の一方が、雌ねじ部及び雄ねじ部の一方のねじ山の頂部に形成され、凹部及び凸部の他方が、雌ねじ部及び雄ねじ部の他方のねじ山間の底壁に形成される構成であればよく、雄ねじ部のねじ山の頂部に凸部を形成し、雌ねじ部のねじ山間の底壁に凹部を形成する構成としてもよい。
【００３７】
また、本実施形態で示すノズルヘッド４の雌ねじ部１０を、金型構造の簡素化のため、無理抜き（上下抜き）により金型で型成形する場合には、成形された雌ねじ部１０のねじ山１４は、無理抜きする際にダレてしまうことがあり、所望の形状が出ない場合がある。かかる場合には、雌ねじ部１０と雄ねじ部１１との間のねじ結合を保持する保持トルクを維持することが難しく、例えば、輸送中などに隣接するノズル４２同士がぶつかることにより、雌ねじ部１０と雄ねじ部１１との間のねじ結合が緩み易い。しかし、本実施形態で示す凹部１２及び凸部１３（凹部１２０及び凸部１３０）を備える構成とすれば、雌ねじ部１０及び雄ねじ部１１のねじの掛かり終わり（締結完了位置）に、凹部１２及び凸部１３が嵌合し、雌ねじ部１０と雄ねじ部１１とがロックされ、緩み止めとして機能する。
【産業上の利用可能性】
【００３８】
本発明は、ポンプ式注出器に関し、特に、押し込み及び復元によりポンプを駆動させるノズルヘッドと、ノズルヘッドが押し込まれた状態を維持可能な維持機構とを備えるポンプ式注出器に関する。
【符号の説明】
【００３９】
１：ポンプ式注出器
２：ベース
３：ポンプ
４：ノズルヘッド
５：アダプター
６、６０：維持機構
１０：雌ねじ部
１１：雄ねじ部
１２、１２０：凹部
１３、１３０：凸部
１４：雌ねじ部のねじ山
１４ａ：雌ねじ部のねじ山の下端部
１４ｂ：雌ねじ部のねじ山の上端部
１５：雄ねじ部のねじ山
１５ａ：雄ねじ部のねじ山の下端部
１５ｂ：雄ねじ部のねじ山の上端部
１６：雄ねじ部のねじ山の頂部
２１：ベースの天板
２２：ベースの筒体
２３：滑り止め
２４：ベースの開口
２５：ベースのねじ部
３１：シリンダー
３２：吸引管
３３：ステム
３４：ポンプの筒体
３５：爪部
３７：フランジ
３８：外筒部材
４１：操作部
４２：ノズル
４３：操作部の天板
４４：操作部の第１筒体
４５：操作部の第２筒体
４６：操作部の第３筒体
４７：吐出口
５１：アダプターの天板
５２：アダプターの第１筒体
５３：アダプターの第２筒体
５４：アダプターの第３筒体
５５：アダプターの第４筒体
５６：係止部
Ｍ：容器の口部
Ｏ：ポンプの軸線
【図１】
2015209267.tif 000003
【図２】
2015209267.tif 000004
【図３】
2015209267.tif 000005
【図４】
2015209267.tif 000006
【図５】
2015209267.tif 000007